(57)【要約】【課題】  部品点数及び組立工数を削減でき、ひいてはコストを低減する。【解決手段】  外気導入口１２と内気導入口１３とを選択的に閉鎖するダンパ１６の回動軸１７にリンク１８を連結し、このリンク１８の端部にケーブル２０の一端部を接続し、ケーブル２０の他端部を操作部材２２の後端部２２ａに接続し、操作部材２２の回動操作に基づき、ケーブル２０及びリンク１８を介してダンパ１６を回動させる構成とする。操作部材２２は、節度機構３１により外気導入モード位置と内気循環モード位置とに選択的に保持される構成とする。【選択図】  図１
2005112128.tif 000002
【特許請求の範囲】
【請求項１】
内気導入口と外気導入口とを選択的に閉鎖する内外気切替え用のダンパを回動操作するためのものであって、
前記ダンパの回動軸にこれと一体に回動するように連結された１個のリンクと、
一端部がこのリンクに接続されたケーブルと、
このケーブルの他端部が接続されると共に、当該ケーブル及び前記リンクを介して前記ダンパを回動させるように設けられ、前記ダンパにより前記内気導入口を閉鎖する外気導入モード位置と前記外気導入口を閉鎖する内気循環モード位置との間で操作される操作部材と、
この操作部材を前記外気導入モード位置と前記内気循環モード位置とに選択的に保持する保持手段とを備え、
前記操作部材の前記外気導入モード位置は、前記ダンパが前記内気導入口を閉鎖する位置からさらに当該ダンパを前記内気導入口に押し付ける方向へ回動させる位置となるように設定すると共に、前記内気循環モード位置は、前記ダンパが前記外気導入口を閉鎖する位置からさらに当該ダンパを前記外気導入口に押し付ける方向へ回動させる位置となるように設定したことを特徴とする内外気切替え用ダンパの操作装置。
【発明の詳細な説明】
【技術分野】
【０００１】
本発明は、外気導入モードと内気循環モードとを切り替えるための内外気切替え用ダンパの操作装置に関する。
【背景技術】
【０００２】
この種の内外気切替え用ダンパの操作装置の従来構成を、図４を参照して説明する。第１のリンク１は、内外気切替箱２の外面側に回動軸３と一体に回動するように設けられている。内外気切替箱２内には、前記回動軸３と一体に回動するように内外気切替え用のダンパ（図示せず）が設けられている。第１のリンク１の下方に位置させて第２のリンク４が回動軸５を中心に回動可能に設けられていて、この第２のリンク４の一端部に設けられた案内ピン６が、第１のリンク１に形成された案内溝７に移動可能に挿入されている。そして、第２のリンク４の他端部には、アウタチューブ８内に挿通されたケーブル９の一端部が接続されている。ケーブル９の他端部は、内外気切替え用の図示しない操作レバーに接続されている。
【０００３】
上記構成において、操作レバーが内気循環モード位置に操作された場合には、ケーブル９が矢印Ａ１方向へ引っ張られ、これに伴い、第２のリンク４が矢印Ａ２方向へ回動されると共に、第１のリンク１が矢印Ａ３方向へ回動され、この結果、ダンパが第１のリンク１と共に同矢印Ａ３方向へ回動され、図示しない外気導入口が当該ダンパにより閉鎖される（図４の実線参照）。
【０００４】
このとき、第２のリンク４の案内ピン６が、案内溝７に対して、図４の「イ」で示す位置まで移動することで、上記ダンパは外気導入口を閉鎖する位置まで回動されていて、案内ピン６を「ロ」まで移動させることで、第１のリンク１及びダンパがその閉鎖位置に保持される。この「イ」と「ロ」の間をアイドル区間としている。
一方、操作レバーが外気導入モード位置に操作された場合には、ケーブル９が矢印Ａ１とは反対方向へ押し込まれ、これに伴い、第２のリンク４が矢印Ａ２とは反対方向へ回動されると共に、第１のリンク１が矢印Ａ３とは反対方向へ回動され、この結果、ダンパが第１のリンク１と共に同矢印Ａ３とは反対方向へ回動され、図示しない内気導入口が当該ダンパにより閉鎖される（図４の二点鎖線参照）。
【０００５】
なお、このような従来構成と同様な構成のものは、特許文献１にも開示されている。
【特許文献１】特開平５−１３１８３９号公報
【発明の開示】
【発明が解決しようとする課題】
【０００６】
上記した従来構成のものでは、ダンパとケーブル９との間に２つのリンク（第１のリンク１と第２のリンク４）を必要としているため、部品点数が多いと共に組立工数も多くなり、ひいてはコストが高くなるという問題があった。
本発明は上記事情に鑑みてなされたものであり、その目的は、部品点数及び組立工数を削減でき、ひいてはコストを低減することができる内外気切替え用ダンパの操作装置を提供するにある。
【課題を解決するための手段】
【０００７】
上記の目的を達成するために、本発明は、内気導入口と外気導入口とを選択的に閉鎖する内外気切替え用のダンパを回動操作するためのものであって、
前記ダンパの回動軸にこれと一体に回動するように連結された１個のリンクと、
一端部がこのリンクに接続されたケーブルと、
このケーブルの他端部が接続されると共に、当該ケーブル及び前記リンクを介して前記ダンパを回動させるように設けられ、前記ダンパにより前記内気導入口を閉鎖する外気導入モード位置と前記外気導入口を閉鎖する内気循環モード位置との間で操作される操作部材と、
この操作部材を前記外気導入モード位置と前記内気循環モード位置とに選択的に保持する保持手段とを備え、
前記操作部材の前記外気導入モード位置は、前記ダンパが前記内気導入口を閉鎖する位置からさらに当該ダンパを前記内気導入口に押し付ける方向へ回動させる位置となるように設定すると共に、前記内気循環モード位置は、前記ダンパが前記外気導入口を閉鎖する位置からさらに当該ダンパを前記外気導入口に押し付ける方向へ回動させる位置となるように設定したことを特徴とする。
【発明の効果】
【０００８】
本発明によれば、ダンパとケーブルとの間のリンクは１個であるから、２個のリンクを必要とするものとは違い、部品点数を削減できると共に、組立工数を削減でき、ひいてはコストを低減することが可能となる。また、本発明においては、操作部材を、ダンパが内気導入口を閉鎖する外気導入モード位置と、外気導入口を閉鎖する内気循環モード位置とに保持手段により保持するようにしているから、ダンパが内気導入口や外気導入口を閉鎖する閉鎖位置から開放方向へ戻ることを防止できる。
【０００９】
しかも、操作部材の外気導入モード位置は、ダンパが内気導入口を閉鎖する位置からさらに当該ダンパを内気導入口に押し付ける方向へ回動させる位置となるように設定すると共に、内気循環モード位置は、ダンパが外気導入口を閉鎖する位置からさらに当該ダンパを外気導入口に押し付ける方向へ回動させる位置となるように設定しているので、外気導入モードでは内気導入口を、また、内気循環モードでは外気導入口をそれぞれダンパにより確実に閉鎖することができる。
【発明を実施するための最良の形態】
【００１０】
以下、本発明の第１の実施形態について図１及び図２を参照して説明する。まず、図１において、エアコンユニット１０側の内外気切替箱１１には、外気導入口１２と内気導入口１３とが形成されていると共に、これら外気導入口１２と内気導入口１３に連通した通路１４内にエバポレータ（蒸発器）１５が配設されている。また、内外気切替箱１１内には、内外気切替え用のダンパ１６が配設されている。このダンパ１６は、回動軸１７を中心としてこれと一体に回動するように配置されていて、その回動により外気導入口１２と内気導入口１３とを選択的に閉鎖する構成となっている。
【００１１】
上記回動軸１７には、１個のリンク１８の一端部がこれと一体に回動するように連結されている。リンク１８の他端部には、アウタチューブ１９内に挿通されたケーブル２０の一端部が接続されている。ケーブル２０の他端部は、操作ユニット２１側に設けられたレバー状をなす操作部材２２の後端部２２ａに接続されている。この操作部材２２は、これの長手方向の中間部が、取付板２３に軸部２４を中心に回動可能に設けられていて、ケーブル２０が接続された側とは反対側の先端部２２ｂにつまみ部２５が取着されている。なお、アウタチューブ１９の一端部は、チューブ固定部１９ａにより取付板２３に固定されている。
【００１２】
また、操作部材２２において、軸部２４と先端部２２ｂとの間の部位には、図２に示すように下方へ突出する節度用凸部２６が一体に設けられている。そして、上記取付板２３には、図２の左側に位置させて、円形の節度用凹部２７が設けられていると共に、この節度用凹部２７の左側に位置させて、当該節度用凹部２７より深くて大きな円形の第１の保持用凹部２８が設けられている。また、取付板２３には、図２の右側に位置させて、円形の節度用凹部２９が設けられていると共に、この節度用凹部２９の右側に位置させて、当該節度用凹部２９より深くて大きな円形の第２の保持用凹部３０が設けられている。
【００１３】
ここで、操作部材２２の節度用凸部２６が、図２に示すように左側の第１の保持用凹部２８に嵌合した状態では、操作部材２２は図１に実線で示す外気導入モード位置に保持され、また、節度用凸部２６が右側の第２の保持用凹部３０に嵌合した状態では、操作部材２２は図１に二点鎖線で示す内気循環モード位置に保持される。操作部材２２の節度用凸部２６と、第１及び第２の保持用凹部２８及び３０とにより、操作部材２２を外気導入モード位置と内気循環モード位置とに選択的に保持する節度機構３１を構成しており、この節度機構３１が保持手段を構成している。
【００１４】
次に上記構成の作用を説明する。操作部材２２を、図１の二点鎖線の内気循環モード位置から矢印Ｂ１方向へ回動させると、ケーブル２０が矢印Ｂ２方向へ引っ張られ、これに伴いリンク１８及びダンパ１６は回動軸１７を中心に矢印Ｂ３方向へ回動される。そして、操作部材２２の節度用凸部２６が左側の節度用凹部２７に嵌合するようになると、ダンパ１６は、図１に実線で示すように内気導入口１３を閉鎖した状態となる。そして、操作部材２２をさらに矢印Ｂ１方向へ回動させ、操作部材２２の節度用凸部２６を第１の保持用凹部２８に嵌合させることで、操作部材２２は外気導入モード位置に保持される。
【００１５】
このとき、操作部材２２を、節度用凸部２６が節度用凹部２７に嵌合する位置から第１の保持用凸部２８に嵌合する位置まで回動操作することで、ダンパ１６を内気導入口１３へ押し付ける方向への回動力が作用するようになる。これにより、ケーブル２０の伸びや、ダンパ１６の弾力性を吸収することができ、ダンパ１６により内気導入口１３を一層確実に閉鎖することができる。
【００１６】
操作部材２２が左側の外気導入モード位置に保持された状態では、内気導入口１３が閉鎖される一方、外気導入口１２が開放されているので、外気がその外気導入口１２から通路１４内へ導入される外気導入モードとなる。この外気導入モードでは、通路１４内へ導入された外気は、エバポレータ１５を通った後、車両の車内側へ供給されるようになる。
一方、操作部材２２が、図１の実線で示す状態から矢印Ｂ１とは反対方向へ回動されると、ケーブル２０が矢印Ｂ２とは反対方向へ押し込まれ、これに伴いリンク１８及びダンパ１６は回動軸１７を中心に矢印Ｂ３とは反対方向へ回動される。そして、操作部材２２の節度用凸部２６が右側の節度用凹部２９に嵌合するようになると、ダンパ１６は、図１に二点鎖線で示すように外気導入口１２を閉鎖した状態となる。そして、操作部材２２をさらに矢印Ｂ１とは反対方向へ回動させ、操作部材２２の節度用凸部２６を第２の保持用凹部３０に嵌合させることで、操作部材２２は内気循環モード位置に保持される。
【００１７】
このとき、操作部材２２を、節度用凸部２６が節度用凹部２９に嵌合する位置から第２の保持用凸部３０に嵌合する位置まで回動操作することで、ダンパ１６を外気導入口１２へ押し付ける方向への回動力が作用するようになる。これにより、ダンパ１６により外気導入口１２を一層確実に閉鎖することができる。
操作部材２２が右側の内気循環モード位置に保持された状態では、外気導入口１２が閉鎖される一方、内気導入口１３が開放されているので、車室内の内気がその内気導入口１３から通路１４内へ導入される内気循環モードとなる。この内気循環モードでは、通路１４内へ導入された内気は、エバポレータ１５を通った後、車両の車内側へ供給されるようになる。
【００１８】
上記した第１の実施形態によれば、次のような効果を得ることができる。まず、ダンパ１６とケーブル２０との間のリンク１８は１個であるから、２個のリンクを必要とするものとは違い、部品点数を削減できると共に、組立工数を削減でき、ひいてはコストを低減することが可能となる。また、操作部材２２を、ダンパ１６が内気導入口１３を閉鎖する外気導入モード位置と、外気導入口１２を閉鎖する内気循環モード位置とに節度機構３１により保持するようにしているから、ダンパ１６が内気導入口１３や外気導入口１２を閉鎖する閉鎖位置から開放方向へ戻ることを防止できる。
【００１９】
しかも、操作部材２２の外気導入モード位置は、ダンパ１６が内気導入口１３を閉鎖する位置からさらに当該ダンパ１６を内気導入口１３に押し付ける方向へ回動させる位置となるように設定すると共に、内気循環モード位置は、ダンパ１６が外気導入口１２を閉鎖する位置からさらに当該ダンパ１６を外気導入口１２に押し付ける方向へ回動させる位置となるように設定しているので、外気導入モードでは内気導入口１３を、また、内気循環モードでは外気導入口２をそれぞれダンパ１６により確実に閉鎖することができる。
【００２０】
図３は本発明の第２の実施形態を示したものであり、この第２の実施形態は、上記した第１の実施形態とは次の点が異なっている。すなわち、第１の保持用凹部２８の右側に、節度用凹部２８に代えて、右上がりの斜面３５を設け、第２の保持用凹部３０の左側に、節度用凹部２９に代えて、左上がりの斜面３６を設けている。
このような構成とした第２の実施形態においても、第１の実施形態と同様な作用効果を得ることができる。
【００２１】
本発明は、上記した実施形態にのみ限定されるものではなく、例えば操作部材２２は、レバー状のものに代えて、ダイヤル式のものであっても良い。
【図面の簡単な説明】
【００２２】
【図１】本発明の第１の実施形態を示す概略構成図
【図２】節度機構部分の縦断正面図
【図３】本発明の第２の実施形態を示す保持用凹部部分の縦断正面図
【図４】従来構成のリンク機構部分を示す構成図
【符号の説明】
【００２３】
図面中、１１は内外気切替箱、１２は外気導入口、１３は内気導入口、１６はダンパ、１７は回動軸、１８はリンク、１９はアウタチューブ、２０はケーブル、２２は操作部材、２６は節度用凸部、２７は節度用凹部、２８は第１の保持用凹部、２９は節度用凹部、３０は第２の保持用凹部、３１は節度機構（保持手段）、３５，３６は斜面を示す。
【図１】
2005112128.tif 000003
【図２】
2005112128.tif 000004
【図３】
2005112128.tif 000005
【図４】
2005112128.tif 000006